(57)【特許請求の範囲】
【請求項１】
アルミニウム電線のアルミ芯線端部に取り付けられ、他の電線と接続するためのアルミ電線接続ユニットであって、アルミ電線接続端子を有し、前記アルミ電線接続端子は、他の電線が接続される他電線接続部と、端子底部から上方に向って折り曲げられて形成され、前記アルミ芯線端部が圧着されて保持されると共に該保持された状態で半田接合されることにより接続されるアルミ芯線接続部と、前記端子底部に幅方向から略９０度下方に折り曲げられて形成されたガイド部と、を有し、前記アルミニウム電線は前記アルミ電線接続端子のガイド部にガイドされることにより前記アルミ芯線端部を上方向に伸長させた状態で、前記アルミ芯線端部が前記アルミ芯線接続部に接続されるように構成されていることを特徴とするアルミ電線接続ユニット。
【請求項２】
前記端子底部に形成される前記ガイド部は、幅方向両端部から下方に折り曲げられて形成された一対のガイド部であることを特徴とする請求項１に記載のアルミ電線接続ユニット。
【請求項３】
前記アルミ電線接続端子が固定される端子台を有し、前記端子台は下方に突出したガイド部を有し、前記アルミニウム電線は前記端子台のガイド部にガイドされることにより接続されていることを特徴とする請求項１又は２に記載のアルミ電線接続ユニット。
【請求項４】
前記アルミ電線接続端子の前記アルミ芯線接続部は３つ爪を有する形状に形成され、前記アルミニウム電線のアルミ芯線端部は前記３つ爪により圧着されて保持されることを特徴とする請求項１〜請求項３のいずれか１項に記載のアルミ電線接続ユニット。
【請求項５】
更に、前記アルミ電線接続端子に電蝕防止のコーティングが施されていることを特徴とする請求項１〜請求項４のいずれか１項に記載のアルミ電線接続ユニット。
【請求項６】
請求項３〜請求項５の何れか１項に記載のアルミ電線接続ユニットを前記アルミ電線接続ユニットの前記端子台を介してコイル装置に固定したことを特徴とするコイル装置。
【発明の詳細な説明】
【技術分野】
【０００１】
本発明は、アルミニウム電線のアルミ芯線端部に取り付けられ、他の電線と接続するためのアルミ電線接続端子及びその端子台を含む接続端子ユニットに関し、特に、アルミニウム電線から成るコイルを用いたコイル装置におけるコイルの引出線を他の電線としてのリード線等と接続するためのアルミ電線接続端子ユニットに関する。
【背景技術】
【０００２】
民生用の電子機器の高調波対策等に用いられるリアクトルは、コイルボビンにコイルを巻回し、かつコイルボビンにコアを組込むとともに、コイルの引出線を端子板に組み付けられた接続端子に接続する一方、この接続端子に他の電線としてのリード線等を接続するなどして構成されている。この場合、従来、上記接続端子と、例えば、紙製の端子板が接続端子ユニットとして用いられている。紙製の端子板はコイルの外表面に取付けられ、コイルの引出線をその端子板に組み付けられた金属製の接続端子の所定の位置まで引き回わし、かつ所定のリード線と接続している。即ち、接続端子の所定の位置には引出線を案内して保持する、例えば、筒状の保持部が形成され、この保持部に引出線が圧着等により保持されると共に、接続端子の他の所定の位置にリード線がからめられることにより両者が接続される。引出線を保持する保持部には、例えば、接続端子の下方両側部に切込みを入れ、その両側部を外側に向かってほぼ弧状に折曲することによって形成される。
【０００３】
最近では、コストダウンを図るためにコイルを形成する電線（マグネットワイヤ）の芯線には、銅よりもアルミニウムが用いられることも多い。芯線がアルミニウムのマグネットワイヤ（アルミニウム電線）では、接続端子等との圧着のみでは電気的接続が困難となるため、接続端子等との圧着部分を、更に半田槽に浸漬させて半田付けするのが一般的である。
【０００４】
かかる従来例の他の一例として、例えば、特許文献１には、コネクタ部と、上下方向に離間してコネクタ部に平行に配置されたアルミニウム電線の接続部と、コネクタ部及び電線接続部の基端において上下方向に延びてコネクタ部と電線接続部とを連結する連結部と、電線接続部を貫通する保持孔とを有し、電線接続部における、コネクタ部と反対側の面にアルミニウム電線を保持するかしめ片を有し、コネクタ部側の面にフラックスが塗布されるアルミニウム電線接続用の端子ユニットが提案されている。
【先行技術文献】
【特許文献】
【０００５】
【特許文献１】特許第４５８０４４５号公報
【発明の概要】
【発明が解決しようとする課題】
【０００６】
しかしながら従来のアルミ電線接続端子ユニットでは、コイル装置として組み立てアルミニウム電線及びアルミ芯線端部を取り回して電線接続部に接続する配線取り回しが困難であり、組み立て作業も面倒で、たとえ電線接続部に上記のアルミ電線保持用のかしめ片を有していても、配線の取り回しが不安定となり保持状態にバラツキが生じるため半田付の精度にもムラが生じてしまう。このため修正のために半田付を複数回行うことも必要となる等、工数の増加を招いており、他に、例えば、電蝕防止のためのコーティング作業も、特別な治具を必要とする等、煩雑にならざるを得なかった。
また、半田付時に上記のフラックスが蒸発して生じるフラックスガスの抜けが不十分であると半田付後に微小な気孔を内包してしまうことで電気的な信頼性に問題を生じる虞がある。
このように、アルミニウム電線及びアルミ芯線端部を取り回して電線接続部に接続する配線取り回しを容易にし、組み立て作業がより簡単でその工数も削減可能なアルミ電線の接続端子やそのユニットの開発が望まれている。
【０００７】
本発明の目的は、アルミニウム電線及びアルミ芯線端部を取り回して電線接続部に接続する配線取り回しが容易であり、アルミニウム電線と他電線との接続作業が簡単でその工数も削減可能なアルミ電線の接続端子ユニットを提供することにある。
【課題を解決するための手段】
【０００８】
本発明者は、アルミ電線の接続端子の形状又は構造と端子を固定する端子板や端子台の形状又は構造を種々検討した結果、アルミニウム電線等の配線取り回しが容易であり、アルミニウム電線と他電線との接続作業が簡単でその工数も削減可能なアルミ電線の接続端子ユニットの構成を見出した。
【０００９】
即ち、上記目的を達成するため、本発明の様相は、アルミニウム電線のアルミ芯線端部に取り付けられ、他の電線と接続するためのアルミ電線接続ユニットであって、アルミ電線接続端子を有し、アルミ電線接続端子は、他の電線が接続される他電線接続部と、端子底部から上方に向って折り曲げられて形成され前記アルミ芯線端部が圧着されて保持されると共に該保持された状態で半田接合されることにより接続されるアルミ芯線接続部と、前記端子底部に幅方向から略９０度下方に折り曲げられて形成されたガイド部を有し、前記アルミニウム電線は前記アルミ電線接続端子のガイド部にガイドされることにより前記アルミ芯線端部を上方向に伸長させた状態で、該アルミ芯線端部が前記アルミ芯線接続部に接続されるように構成されていることを特徴としている。かかる構成によれば、アルミニウム電線及びアルミ芯線端部を取り回して電線接続部に接続する配線取り回しが容易である。また、アルミニウム電線と他電線との接続作業が簡単でその工数も削減可能である。更に、アルミニウム電線のアルミ芯線端部の接続端子への半田付け接続の信頼性が向上する。また、前記アルミ電線接続端子にガイド部が一体形成されているので、アルミニウム電線及びアルミ芯線端部を取り回してアルミ電線接続端子に接続する配線取り回しが一層容易となる。更に、前記アルミ電線接続端子の前記アルミ芯線接続部は、前記アルミ芯線端部を上方向に伸長させた状態で圧着して保持するように構成されているので、半田付後に半田に含まれていたフラックスガスの抜けが良くなるという効果が得られる。その結果、アルミニウム電線のアルミ芯線端部の接続端子への半田付け接続の信頼性が向上する上に、半田の修正のための再半田付の工程など余計な工数を削減することも可能となる。
【００１０】
端子底部に形成される前記ガイド部は、幅方向両端部から下方に折り曲げられて形成された一対のガイド部であってもよい。かかる構成によれば、アルミニウム電線を両側の２つのガイド部でガイドすることで正確に位置決めをして接続をすることが可能となり、アルミニウム電線及びアルミ芯線端部を取り回してアルミ電線接続端子に接続する配線取り回しが一層容易となる。
【００１１】
アルミ電線接続端子が固定される端子台を有し、前記端子台は下方に突出したガイド部を有し、前記アルミニウム電線は前記端子台のガイド部にガイドされることにより接続されていてもよい。かかる構成によれば、アルミニウム電線及びアルミ芯線端部を取り回して電線接続部に接続する配線取り回しが一層容易となる。
【００１２】
尚、アルミ電線接続端子のアルミ芯線接続部は３つ爪を有する形状に形成され、該アルミニウム電線のアルミ芯線端部は、該３つ爪により圧着されて保持されるようにしても良い。かかる構成によれば、半田をアルミ芯線端部の周面部分に回り込ませることができ、半田付けの信頼性及び電気接続の信頼性を向上させることができる。
【００１３】
また、前記アルミ電線接続端子に電蝕防止のコーティングが施されているようにしても良い。かかる構成によれば、アルミ電線接続端子の電蝕を防止でき、他電線との電気的な接続信頼性が向上する。
【００１４】
本発明の他の様相は、前記アルミ電線接続ユニットを当該アルミ電線接続ユニットの前記端子台を介してコイル装置に固定したことを特徴としている。かかる構成によれば、コイル装置のアルミニウム電線及びアルミ芯線端部を取り回して電線接続部に接続する配線取り回しが容易である。また、アルミ電線接続端子ユニットをコイル装置に簡単に取り付けることができる上に、従来コイル装置の製作に必要であった種々の治具や工程を省略できるので、コイル装置製作の作業性が著しく向上すると共に、コストの削減も可能となる。
【発明の効果】
【００１５】
本発明によれば、アルミニウム電線及びアルミ芯線端部を取り回して電線接続部に接続する配線取り回しが容易であり、アルミニウム電線と他電線との接続作業が簡単でその工数も削減可能なアルミ電線の接続端子ユニットを提供することができる。また、当該アルミ電線の接続端子ユニットをコイル装置に適用することで、従来コイル装置の製作に必要であった種々の治具や工程を省略できるので、コイル装置製作の作業性が著しく向上すると共に、コストの削減も可能となる。
【図面の簡単な説明】
【００１６】
【図１】（Ａ），（Ｂ），（Ｃ），（Ｄ）は、本発明の実施形態が適用されたアルミ電線接続端子を示す平面図、正面図、右側面図、及び斜視図である。
【図２】（Ａ）は、図１のアルミ電線接続端子２個を１個の端子台に組み付ける前の端子ユニットをそれぞれ角度を変えて示した斜視図、（Ｂ）は、（Ａ）のアルミ電線接続端子２個を１個の端子台に組み付けた状態の端子ユニットをそれぞれ角度を変えて示した斜視図である。
【図３】（Ａ）は、図２の端子ユニットを更にリアクトルの固定板に取り付けた状態を背面側から見た斜視図、（Ｂ）は、その前面側から見た斜視図である。
【図４】（Ａ）は、図３の固定板に取り付けた端子ユニットがリアクトルに取り付けられた状態を正面側から見た斜視図、（Ｂ）は、その側面図である。
【図５】（Ａ），（Ｂ），（Ｃ），（Ｄ）は、図４の端子ユニットがリアクトルに取り付けられた状態を示す平面図、正面図、右側面図、及び斜視図である。
【図６】（Ａ），（Ｂ），（Ｃ），（Ｄ）は、図２の端子ユニットに取り付けられる端子カバーを示す平面図、正面図、右側面図、及び斜視図である。
【図７】（Ａ）は、図６の端子カバーを図２の端子ユニットに取り付ける方法を説明するために両者を前面側から見た斜視図、（Ｂ）は、その両者を背面側から見た斜視図である。
【図８】（Ａ），（Ｂ），（Ｃ），（Ｄ）は、図５のリアクトルに取り付けた端子ユニットに、更に端子カバーを取り付けた状態を示す平面図、正面図、右側面図、及び斜視図である。
【図９】（Ａ），（Ｂ），（Ｃ），（Ｄ）は、本発明の他の実施形態が適用されたアルミ電線接続端子を示す平面図、正面図、右側面図、及び斜視図である。
【図１０】（Ａ），（Ｂ），（Ｃ），（Ｄ）は、図９の本発明の他の実施形態が適用されたアルミ電線接続端子が組み付けられる端子台を示す平面図、正面図、右側面図、及び斜視図である。
【図１１】（Ａ），（Ｂ），（Ｃ），（Ｄ）は、図９の接続端子を図１０の端子台に組み付けた本発明の他の実施形態に係るアルミ電線接続端子ユニットをリアクトルに取り付けた状態を示す平面図、正面図、右側面図、及び斜視図である。
【発明を実施するための形態】
【００１７】
本発明の実施形態に係るアルミ電線接続端子ユニットについて図面を参照して詳細に説明する。図１（Ａ），（Ｂ），（Ｃ），（Ｄ）は、本発明の実施形態が適用されたアルミ電線接続端子を示す平面図、正面図、右側面図、及び斜視図である。
図１に示すアルミ電線接続端子１０は、アルミニウム電線（図４、図５、図８参照）のアルミ芯線端部Ｅ（図４、図５、図８参照）に取り付けられ、他の電線（図示せず）と接続するためのアルミ電線接続端子であって、アルミ芯線端部Ｅが圧着されて保持されると共に該保持された状態で半田接合されることにより接続されるアルミ芯線接続部１１と、アルミ芯線接続部１１と一体形成されており、他の電線が接続される他電線接続部１２とを備え、全体が金属製の板材を打ち抜き折り曲げ加工等することにより形成されている。本実施形態では、例えば錫メッキされた黄銅でなる板材を所定形状に打ち抜いて折り曲げる板金加工により一体成形することで作製されている。
アルミ芯線接続部１１は、その金属製の板材の下端側を２箇所切り欠き、これら２つの切り欠き部分を爪相互間の間隔とする３つ爪形状に形成されている。そして、アルミ芯線接続部１１は、図１（Ｃ），（Ｄ）に示すように、上下方向に伸びる端子本体１０Ａからラウンド部１０Ｂを介して略９０度折り曲げられた端子底部１０Ｃが形成され、その端子底部１０Ｃから上方に向って略９０度折り曲げられて形成されている。アルミ芯線接続部１１は、その３つ爪１１Ａ、１１Ｂ、１１Ｃを図１（Ｂ）でいう用紙の手前側［図１（Ｃ）でいう用紙の左側］に折り曲げて形成し、アルミ芯線端部Ｅの周面をこの３つ爪１１Ａ、１１Ｂ、１１Ｃで保持したときに、その周面の一部を上記爪相互間の間隔において露出させる構成となっている。３つ爪１１Ａ、１１Ｂ、１１Ｃが折り曲げられてアルミ芯線接続部１１の前面部と共にアルミ芯線端部Ｅの周面を覆い、且つ脱落しない程度に圧着するようになっている。尚、端子本体１０Ａの上端側、即ち、他電線接続部１２側には、左右の（側方に張り出した）上部爪１０ＵL、１０ＵＲが形成されており、これら上部爪１０ＵＬ、１０ＵＲはアルミ電線接続端子１０を後述する端子台６０に固定する際に用いられる。また、端子本体１０Ａの下端側、即ち、端子底部１０Ｃ側は、幅狭に形成されており、左右のそれぞれ後方に略９０度折り曲げられた下部爪１０ＬL、１０ＬＲが形成されており、これら下部爪１０ＬＬ、１０ＬＲも、後述するように、端子台６０に組み付けた時に外側に位置することになる一方の下部爪１０ＬＬ又は１０ＬＲのみが折り曲げられた状態から端子本体１０Ａと水平に戻されることで、アルミ電線接続端子１０を端子台６０に固定するために用いられる。
【００１８】
ここで、アルミ電線接続端子１０は、端子底部１０Ｃのアルミ芯線接続部１１近傍部には、ラウンド部１５Ｂを介して略９０度折り曲げられて形成されたガイド部１５Ｌ、１５Ｒを有している。このガイド部１５Ｌ、１５Ｒは、図４、図５、図８に示すように、アルミニウム電線のアルミ芯線端部Ｅを案内して正しく位置決めした状態で、３つ爪１１Ａ、１１Ｂ、１１Ｃに保持させて配線するために用いられる。即ち、アルミ芯線端部Ｅは正しく上下方向に伸長するように位置決めした状態で３つ爪１１Ａ、１１Ｂ、１１Ｃをかしめて保持することが、半田をアルミ芯線端部Ｅの周面に回り込ませて電気的接続の信頼性を高めるためにも必要であり、このため本実施形態では、ガイド部１５Ｌ、１５Ｒは、上述したように、端子底部１０Ｃのアルミ芯線接続部１１近傍部に形成されている。
【００１９】
上述したように、本実施形態のアルミ電線接続端子ユニットは、図１に示したアルミ電線接続端子１０と端子台６０とにより構成される。そこで、以下に端子台６０の構成と、アルミ電線接続端子１０を端子台６０に組み付けて固定する方法について説明する。
図２（Ａ）は、図１のアルミ電線接続端子２個を１個の端子台に組み付ける前の端子ユニットをそれぞれ角度を変えて示した斜視図、（Ｂ）は、（Ａ）のアルミ電線接続端子２個を１個の端子台に組み付けた状態の端子ユニットをそれぞれ角度を変えて示した斜視図である。
まず、端子台６０の構成について説明する。端子台６０は、図２（Ａ）、（Ｂ）に示すように、矩形の板状の端子台本体６０Ａと、端子台本体６０Ａと同じ幅で略直交するように前側に張り出した端子台底部６０Ｂと、端子台本体６０Ａの上部に左右に張り出すように設けられた２つの接続端子装着部６０Ｌ，６０Ｒとから構成されている。端子台底部６０Ｂと端子台本体６０Ａとの境界領域（屈曲部）中央には、２つの補強用のリブ６０Ｄが設けられている。
【００２０】
接続端子装着部６０Ｌ，６０Ｒは、それぞれアルミ電線接続端子１０の端子本体１０Ａを上側から差し込んでスライドさせて装着するように、端子本体１０Ａの幅より僅かに間隔が広い２本のレール状に形成されている。そして、アルミ電線接続端子１０の端子本体１０Ａを上側から差し込んでスライドさせると、アルミ電線接続端子１０の端子本体１０Ａから左右側方に張り出した上部爪１０ＵL、１０ＵＲがレール上端面に当接してストッパとなり、この時、下部爪１０ＬＬ、１０ＬＲは、レール下端面から下側に位置した状態となり、このように端子台６０に装着した（組み付けた）時に外側に位置することになる一方の下部爪１０ＬＬ又は１０ＬＲのみが、図２（Ｂ）にＷで示すように、折り曲げられた状態から端子本体１０Ａと水平に戻されることで、アルミ電線接続端子１０を端子台６０に固定することができる。このように、端子台６０にはめ込んだ後、各アルミ電線接続端子１０の外側の下部爪１０ＬＬ又は１０ＬＲのみを折り曲げられた状態から端子本体１０Ａと水平に戻すだけで各アルミ電線接続端子１０を端子台６０に固定できるので、組み付け作業が大変容易である。
ここで、端子台６０は、接続端子装着部６０Ｌ，６０Ｒそれぞれの外側のレールと略同じ幅で下方に突出したガイド部６２Ｌ、６２Ｒを有している。このガイド部６２Ｌ、６２Ｒは、図５、図６、図８に示すように、アルミ電線接続端子１０のガイド部１５Ｌ、１５Ｒと共に、アルミ芯線端部Ｅを案内して正しく位置決めした状態で配線するために用いられる。即ち、アルミ芯線端部Ｅは、このガイド部６２Ｌ、６２Ｒとそれぞれに対応する端子台本体６０Ａの側面部により正しく位置決めされた状態で端子台本体６０Ａの背面側から前面側に折り返され、更に、アルミ電線接続端子１０のガイド部１５Ｌ、１５Ｒにより正確に上方に伸長するように案内されて３つ爪１１Ａ、１１Ｂ、１１Ｃをかしめて保持される。このように、本実施形態では、アルミ芯線端部Ｅは、端子台６０のガイド部６２Ｌ、６２Ｒとアルミ電線接続端子１０のガイド部１５Ｌ、１５Ｒにより案内されるので、簡単且つ精度よく位置決めすることができ、その結果、３つ爪１１Ａ、１１Ｂ、１１Ｃをかしめて保持するのも容易になる。
尚、接続端子装着部６０Ｌ，６０Ｒには、それぞれレール間隔内の中央にレール高さより半分以上低い規制リブＫが設けられており、この規制リブＫに端子本体１０Ａの背面側が当接することにより、アルミ電線接続端子１０は、端子台本体６０Ａの正面から所定の間隔だけ離間した状態に保持される。このようにして、２個のアルミ電線接続端子１０が１個の端子台６０に装着される（組み付けられる）ことにより、図２（Ｂ）に示すようなアルミ電線接続端子ユニットが構成される。
【００２１】
上述したように、本実施形態のアルミ電線接続端子ユニットは、リアクトル等のコイル装置に取り付けられて用いられる。そこで、以下に、アルミ電線接続端子ユニットをコイル装置の一例としてのリアクトルに取り付ける方法について説明する。
図３（Ａ）は、図２のアルミ電線接続端子ユニットを更にリアクトルの固定板に取り付けた状態を背面側から見た斜視図、（Ｂ）は、その前面側から見た斜視図である。図４（Ａ）は、図３の固定板に取り付けた端子ユニットがリアクトルに取り付けられた状態を正面側から見た斜視図、（Ｂ）は、その側面図である。図５（Ａ），（Ｂ），（Ｃ），（Ｄ）は、図４の端子ユニットがリアクトルに取り付けられた状態を示す平面図、正面図、右側面図、及び斜視図である。
アルミ電線接続端子ユニットは、図３（Ａ）、（Ｂ）に示すように、リアクトル１００の固定板１０２に設けられた凸状部１０２Ａに端子台底部６０Ｂを位置決めし固定具１０２fにより固定されて取り付けられる。尚、固定板１０２には、リアクトル内のコイル（図示せず）からの放熱性を確保するための切欠き部１０２Ｂや、リアクトルを固定対象物に固定するためのネジ穴１０２Ｃが形成されている。
このようにして、アルミ電線接続端子ユニットがリアクトル１００の固定板１０２に設けられた凸状部１０２Ａに固定されて取り付けられ、一方、図４（Ａ）、（Ｂ）に示すように、固定板１０２の本体部にはリアクトル本体１００Ｈが取り付けられることで、図５（Ａ），（Ｂ），（Ｃ），（Ｄ）に示すようなリアクトル１００の構成が完成する。図５に示すリアクトル１００は、例えば、エアコンの室外機等の回路内に設置され、高調波対策等に用いられる。
【００２２】
尚、アルミニウム電線から成るコイル（図示せず）の巻始め、巻終わりの各引出線３０ａ，３０ｂが被覆を除去された状態で、上述したように、各アルミ芯線端部Ｅとして各アルミ電線接続端子１０に半田付け接続されている。また、図示はしないが、各アルミ電線接続端子１０の他電線接続部１２には、例えば、上述したエアコンの室外機等の回路内の他の電子部品（インバータ等）と接続するためのリード線等が接続される。
以上のように、２個のアルミ電線接続端子１０が１個の端子台６０に装着される（組み付けられる）ことにより、図２（Ｂ）に示すようなアルミ電線接続端子ユニットが構成され、このアルミ電線接続端子ユニットを用いてアルミニウム電線の各アルミ芯線端部Ｅが各アルミ電線接続端子１０にそれぞれ接続される。尚、アルミニウム電線の各アルミ芯線端部Ｅの絶縁被覆は予め除去されている。
【００２３】
このようにアルミニウム電線の各アルミ芯線端部Ｅが各アルミ電線接続端子１０に接続された状態、即ち、上述したように、アルミ芯線端部Ｅがガイド部６２Ｌ、６２Ｒとそれぞれに対応する端子台本体６０Ａの側面部により正しく位置決めされた状態で端子台本体６０Ａの背面側から前面側に折り返され、更に、アルミ電線接続端子１０のガイド部１５Ｌ、１５Ｒにより正確に上方に伸長するように案内されて３つ爪１１Ａ、１１Ｂ、１１Ｃをかしめて保持された状態で、半田槽に浸漬されて半田付される。この時、本実施形態では、アルミ芯線端部Ｅは端子台６０のガイド部６２Ｌ、６２Ｒとアルミ電線接続端子１０のガイド部１５Ｌ、１５Ｒにより精度よく位置決めされて３つ爪１１Ａ、１１Ｂ、１１Ｃによりかしめられ保持されているので、半田もアルミ芯線端部Ｅの該当部分に効率よく回り込んで流れ込み半田付の信頼性が著しく向上している。また、アルミ電線接続端子ユニットが固定板１０２に固定されて取り付けられ、固定板１０２の本体部にはリアクトル本体１００Ｈが取り付けられた態様において、アルミ芯線接続部１１、ひいては半田付けされたアルミ芯線端部Ｅが直立しているので、半田に含まれていたフラックスの蒸発により生じるガスの抜けが大変良いという作用効果が得られる。
【００２４】
以上のように、本実施形態では、アルミ芯線端部Ｅは、端子台６０のガイド部６２Ｌ、６２Ｒとアルミ電線接続端子１０のガイド部１５Ｌ、１５Ｒにより案内されるので、簡単且つ精度よくアルミ芯線接続部１１のかしめ位置に位置決めすることができる。また、端子ユニットを組み立て、アルミ芯線端部Ｅをアルミ芯線接続部１１に接続し、この端子ユニットとリアクトル本体を固定板１０２に取り付けるだけでリアクトルを組み立てることができるので、従来必要とされた種々の治具が不要となり、工数が減少して作業性が大幅に向上する。
また、アルミ芯線接続部１１を上方に折り曲げて形成したので、図示はしないがアルミ芯線端部Ｅが水平に配置される場合に比べて、半田付け時に発生するフラックスガスの抜けが良いという効果も得られる。
以上のように、本実施形態によれば、銅線よりも廉価のアルミニウム電線を巻回して構成したコイルを用いているだけでなく、リアクトル１００の組み立て工数及びコストを大幅に節減できる上に、アルミ電線接続端子１０とアルミ芯線端部Ｅとの高い接続信頼性が得られる。
【００２５】
さて、本実施形態に係るアルミ電線接続ユニットの構成及び作用効果は以上のとおりであるが、ここで本実施形態の変形例として、更に、端子カバーを有するアルミ電線接続ユニットの構成について、図６乃至図８を参照して説明する。この変形例の端子カバー以外の構成は、上述したアルミ電線接続ユニットの構成と同様なので、同様の参照符号を付して、その説明は省略する。
図６（Ａ），（Ｂ），（Ｃ），（Ｄ）は、図２の端子ユニットに取り付けられる端子カバーを示す平面図、正面図、右側面図、及び斜視図である。図７（Ａ）は、図６の端子カバーを図２の端子ユニットに取り付ける方法を説明するために両者を前面側から見た斜視図、（Ｂ）は、その両者を背面側から見た斜視図である。
図６及び図７に示すように、端子カバー８０は、端子台６０の接続端子装着部６０Ｌ，６０Ｒに対応するように２つの蓋状部８０Ｌ，８０Ｒとこれら蓋状部８０Ｌと８０Ｒとを連結する連結部８０Ｃとから主として構成されている。２つの蓋状部８０Ｌ，８０Ｒは、端子カバー８０が装着された時に、端子台６０の接続端子装着部６０Ｌ，６０Ｒにそれぞれ装着された各アルミ電線接続端子１０のアルミ芯線接続部１１を上方からキャップするように形成されており、アルミ芯線接続部１１と、それにかしめ及び半田接続されたアルミ芯線端部Ｅとを保護して電気的・機械的な信頼性を高めると共に、リアクトル１００の他の製造工程において樹脂などがアルミ芯線接続部１１とアルミ芯線端部Ｅに付着してしまうのを防ぐ機能をも有している。また、連結部８０Ｃは、２つの蓋状部８０Ｌ，８０Ｒからそれぞれ一体的に伸長する把持爪部８０ＣＬ，８０ＣＲを備えており、端子台６０に装着された時に、この把持爪部８０ＣＬ，８０ＣＲにより端子台本体６０Ａの背面を把持するようにして装着される。
【００２６】
図８（Ａ），（Ｂ），（Ｃ），（Ｄ）は、図５のリアクトルに取り付けた端子ユニットに、更に端子カバーを取り付けた状態を示す平面図、正面図、右側面図、及び斜視図である。
図８に示すように、端子カバー８０は、端子台６０に装着された時に、端子台６０の接続端子装着部６０Ｌ，６０Ｒにそれぞれ装着された各アルミ電線接続端子１０のアルミ芯線接続部１１を上方からキャップすると共に、連結部８０Ｃの把持爪部８０ＣＬ，８０ＣＲが端子台本体６０Ａの背面を把持するようにして装着される。この時、各アルミ電線接続端子１０の他電線接続部１２と上部爪１０ＵL、１０ＵＲは、連結部８０Ｃの上方に露出する構成となっている。これにより、他電線接続部１２へ、上述したように、エアコンの室外機等の回路内の他の電子部品（インバータ等）と接続するためのリード線等が接続されるのを妨げない構成となっている。
【００２７】
次に、本発明の他の実施形態に係るアルミ電線接続ユニットについて、図９乃至図１１を参照して説明する。
図９（Ａ），（Ｂ），（Ｃ），（Ｄ）は、本発明の他の実施形態が適用されたアルミ電線接続端子を示す平面図、正面図、右側面図、及び斜視図である。図１０（Ａ），（Ｂ），（Ｃ），（Ｄ）は、図９の本発明の他の実施形態が適用されたアルミ電線接続端子が組み付けられる端子台を示す平面図、正面図、右側面図、及び斜視図である。図１１（Ａ），（Ｂ），（Ｃ），（Ｄ）は、図９の接続端子を図１０の端子台に組み付けた本発明の他の実施形態に係るアルミ電線接続端子ユニットをリアクトルに取り付けた状態を示す平面図、正面図、右側面図、及び斜視図である。
図９に示すアルミ電線接続端子１１０は、アルミニウム電線（図１１参照）のアルミ芯線端部Ｅ（図１１参照）に取り付けられ、他の電線（図示せず）と接続するためのアルミ電線接続端子であって、アルミ芯線端部Ｅが圧着されて保持されると共に該保持された状態で半田接合されることにより接続されるアルミ芯線接続部１１１と、アルミ芯線接続部１１１と一体形成されており、他の電線が接続される他電線接続部１１２とを備え、全体が金属製の板材を打ち抜き折り曲げ加工等することにより形成されている。本実施形態では、例えば錫メッキされた黄銅でなる板材を所定形状に打ち抜いて折り曲げる板金加工により一体成形することに作製されている。
【００２８】
アルミ芯線接続部１１１は、その金属製の板材の下端側を２箇所切り欠き、これら２つの切り欠き部分を爪相互間の間隔とする３つ爪形状に形成されているのは上述したアルミ電線接続端子１０と同様である。そして、アルミ電線接続端子１１０は、図９（Ｃ），（Ｄ）に示すように、上下方向に伸びる端子本体１１０Ａからラウンド部１１０Ｂを介して略９０度折り曲げられた端子底部１１０Ｃが形成され、その端子底部１１０Ｃから上方に向って略９０度折り曲げられてアルミ芯線接続部１１１が形成されている。アルミ芯線接続部１１１は、その３つ爪１１１Ａ、１１１Ｂ、１１１Ｃを図９（Ｂ）でいう用紙の手前側［図９（Ｃ）でいう用紙の左側］に折り曲げて形成し、アルミ芯線端部Ｅの周面をこの３つ爪１１１Ａ、１１１Ｂ、１１１Ｃで保持したときに該周面の一部を上記爪相互間の間隔において露出させる構成となっているのも上述したアルミ電線接続端子１０と同様である。
尚、端子本体１１０Ａは、上述したアルミ電線接続端子１０のそれよりも、やや細長く形成され、その上端側、即ち、他電線接続部１１２側には、左右の（側方に張り出した）２段構成の上部爪１１０ＵL、１１０ＵＲが形成されており、これら上部爪１１０ＵＬ、１１０ＵＲはアルミ電線接続端子１１０を後述する端子台１６０に固定する際に用いられる。また、端子本体１１０Ａの中央より上端側には、左右のそれぞれ後方に略９０度折り曲げられた爪１１０L、１１０Ｒが形成されており、これら爪１１０Ｌ、１１０Ｒも、後述するように、端子台１６０に組み付けた時に外側に位置することになる一方の爪１１０Ｌ又は１１０Ｒのみが折り曲げられた状態から端子本体１１０Ａと水平に戻されることで、アルミ電線接続端子１１０を端子台１６０に固定するために用いられる。
【００２９】
ここで、アルミ電線接続端子１１０は、端子底部１１０Ｃのアルミ芯線接続部１１１近傍部には、ラウンド部１１５Ｂを介して略９０度折り曲げられて形成されたガイド部１１５Ｌ、１１５Ｒを有している。このガイド部１１５Ｌ、１１５Ｒは、図１１に示すように、アルミニウム電線のアルミ芯線端部Ｅを案内して正しく位置決めした状態で、３つ爪１１１Ａ、１１１Ｂ、１１１Ｃに保持させて配線するために用いられる。即ち、アルミ芯線端部Ｅは正しく上下方向に伸長するように位置決めした状態で３つ爪１１１Ａ、１１１Ｂ、１１１Ｃをかしめて保持することが、半田をアルミ芯線端部Ｅの周面に回り込ませて電気的接続の信頼性を高めるためにも必要であり、このため本実施形態では、ガイド部１１５Ｌ、１１５Ｒは、上述したように、端子底部１１０Ｃのアルミ芯線接続部１１１近傍部に形成されている。
【００３０】
この他の実施形態のアルミ電線接続端子ユニットも、図９に示したアルミ電線接続端子１１０と端子台１６０とにより構成される。そこで、以下に端子台１６０の構成と、アルミ電線接続端子１１０を端子台１６０に組み付けて固定する方法について説明する。
まず、端子台１６０の構成について説明する。端子台１６０は、図１０（Ａ）、（Ｂ）に示すように、矩形の板状の端子台本体１６０Ａと、端子台本体１６０Ａと略同じ幅で略直交するように前側に張り出した端子台底部１６０Ｂと、端子台本体１６０Ａの上部に左右且つ前方に張り出すように一体的に設けられた２つの接続端子装着部１６０Ｌ，１６０Ｒとから構成されている。
【００３１】
接続端子装着部１６０Ｌ，１６０Ｒは、それぞれアルミ電線接続端子１１０の端子本体１１０Ａを上側から差し込んで装着するように、２つの貫通孔として形成されている。そして、アルミ電線接続端子１１０の端子本体１１０Ａから左右側方に張り出した上部爪１１０ＵL、１１０ＵＲが規制面Ｒ１に当接してストッパとなり、この時、爪１１０Ｌ、１１０Ｒは、接続端子装着部１６０Ｌ，１６０Ｒから下側に位置した状態となり、このように端子台１６０に装着した（組み付けた）時に外側に位置することになる一方の爪１１０Ｌ又は１１０Ｒのみが折り曲げられた状態から端子本体１１０Ａと水平に戻されることで、アルミ電線接続端子１１０を端子台１６０に固定することができるので、組み付け作業が大変容易である。
ここで、端子台１６０は、接続端子装着部１６０Ｌ，１６０Ｒそれぞれの外側で下方に突出したガイド部１６２Ｌ、１６２Ｒを有している。このガイド部１６２Ｌ、１６２Ｒは、図１１に示すように、アルミ電線接続端子１１０のガイド部１１５Ｌ、１１５Ｒと共に、アルミ芯線端部Ｅを案内して正しく位置決めした状態で配線するために用いられる。即ち、アルミ芯線端部Ｅは、このガイド部１６２Ｌ、１６２Ｒとそれぞれに対応する端子台本体１６０Ａの側面部により正しく位置決めされた状態で端子台本体１６０Ａの背面側から前面側に折り返され、更に、アルミ電線接続端子１１０のガイド部１１５Ｌ、１１５Ｒにより正確に上方に伸長するように案内されて３つ爪１１１Ａ、１１１Ｂ、１１１Ｃをかしめて保持される。このように、本実施形態では、アルミ芯線端部Ｅは、端子台１６０のガイド部１６２Ｌ、１６２Ｒとアルミ電線接続端子１１０のガイド部１１５Ｌ、１１５Ｒにより案内されるので、簡単且つ精度よく位置決めすることができ、その結果、３つ爪１１１Ａ、１１１Ｂ、１１１Ｃをかしめて保持するのも容易になる。
尚、接続端子装着部１６０Ｌ，１６０Ｒ内には、それぞれ中央に規制リブＫが設けられており、この規制リブＫに図１１（Ｄ）に示すように他電線接続部１１２の端面が当接することにより、アルミ電線接続端子１１０は、端子台本体１６０Ａの正面から所定の間隔だけ離間した状態に保持される。このようにして、２個のアルミ電線接続端子１１０が１個の端子台１６０に装着される（組み付けられる）ことにより、図１１に示すようなアルミ電線接続端子ユニットが構成される。
【００３２】
本実施形態のアルミ電線接続端子ユニットも、リアクトル等のコイル装置に取り付けられて用いられるが、アルミ電線接続端子ユニットをリアクトル等に取り付ける方法は、上述したアルミ電線接続端子ユニットの場合と略同様である。
尚、固定板１０２には、リアクトルを固定対象物に固定するためのネジ穴１０２Ｃが形成されているのも、上述した実施形態の場合と略同様である。
この他の実施形態は、比較的大電流用のリアクトルに適用される場合であり、アルミニウム電線から成る、比較的大電流用のコイルの巻始め、巻終わりの各引出線３０ａ，３０ｂは、両方ともコイルの上方側から伸長しており、それぞれ被覆を除去された状態で、上述したように、各アルミ芯線端部Ｅとして各アルミ電線接続端子１１０に半田付け接続されている。また、図示はしないが、各アルミ電線接続端子１１０の他電線接続部１１２には、他の電子部品（インバータ等）と接続するためのリード線等が接続されるのは同様である。
このようにアルミニウム電線の各アルミ芯線端部Ｅが各アルミ電線接続端子１１０に接続された状態、即ち、上述したように、アルミ芯線端部Ｅがガイド部１６２Ｌ、１６２Ｒとそれぞれに対応する端子台本体１６０Ａの側面部により正しく位置決めされた状態で端子台本体１６０Ａの背面側から前面側に折り返され、更に、アルミ電線接続端子１１０のガイド部１１５Ｌ、１１５Ｒにより正確に上方に伸長するように案内されて３つ爪１１１Ａ、１１１Ｂ、１１１Ｃをかしめて保持された状態で、半田槽に浸漬されて半田付される。この時、本実施形態では、アルミ芯線端部Ｅは端子台１６０のガイド部１６２Ｌ、１６２Ｒとアルミ電線接続端子１１０のガイド部１１５Ｌ、１１５Ｒにより精度よく位置決めされて３つ爪１１１Ａ、１１１Ｂ、１１１Ｃによりかしめられ保持されているので、半田もアルミ芯線端部Ｅの該当部分に効率よく回り込んで流れ込み半田付の信頼性が著しく向上している。また、アルミ電線接続端子ユニットが固定板１０２に固定されて取り付けられ、固定板１０２の本体部にはリアクトル本体１００Ｈが取り付けられた態様において、アルミ芯線接続部１１１、ひいては半田付けされたアルミ芯線端部Ｅが直立しているので、半田に含まれていたフラックスの蒸発により生じるガスの抜けが大変良いという作用効果が得られるのも同様である。
【００３３】
また、この他の実施形態でも、端子ユニットを組み立て、アルミ芯線端部Ｅをアルミ芯線接続部１１１に接続し、この端子ユニットとリアクトル本体を固定板１０２に取り付けるだけでリアクトルを組み立てることができるので、従来必要とされた種々の治具が不要となり、工数が減少して作業性が大幅に向上する。
また、アルミ芯線接続部１１１を上方に折り曲げて形成したので、図示はしないがアルミ芯線端部Ｅが水平に配置される場合に比べて、半田付け時に発生するフラックスガスの抜けが良いという効果も得られる。
以上のように、この他の実施形態でも、銅線よりも廉価のアルミニウム電線を巻回して構成したコイルを用いているだけでなく、リアクトルの組み立て工数及びコストを大幅に節減できる上に、アルミ電線接続端子１１０とアルミ芯線端部Ｅとの高い接続信頼性が得られる。
【００３４】
以上、本発明について実施の形態をもとに説明したが、本発明は上記実施形態に限定されるものではなく、特許請求の範囲の要旨を逸脱しない範囲で種々変更することができる。
例えば、アルミ芯線接続部１１（１１１）は、その３つ爪１１Ａ、１１Ｂ、１１Ｃ(１１１Ａ、１１１Ｂ、１１１Ｃ)によりアルミ芯線端部Ｅを圧着・保持するようにしたが、３つ爪に限られず、２つ爪により圧着・保持する構成等、それ以外の構成によりアルミ芯線端部Ｅを圧着・保持するものでも良い。
【産業上の利用可能性】
【００３５】
本発明は、上述した実施形態におけるリアクトルのコイルの引き出し線を端子に接続する場合に限定されるものでは無く、その他の電子部品にも広く適用可能である。
【符号の説明】
【００３６】
１０、１１０  アルミ電線接続端子、  １１、１１１  アルミ芯線接続部、
１１Ａ、１１Ｂ、１１Ｃ、１１１Ａ、１１１Ｂ、１１１Ｃ  ３つ爪、
１２、１１２  他電線接続部、    Ｅ  アルミ芯線端部
【図１】
0005986676.tif 000002
【図２】
0005986676.tif 000003
【図３】
0005986676.tif 000004
【図４】
0005986676.tif 000005
【図５】
0005986676.tif 000006
【図６】
0005986676.tif 000007
【図７】
0005986676.tif 000008
【図８】
0005986676.tif 000009
【図９】
0005986676.tif 000010
【図１０】
0005986676.tif 000011
【図１１】
0005986676.tif 000012